(57)【要約】【課題】床下に配置された配線器具に接続される電線に負荷がかかるのを防止した床用配線部材及び床用配線装置を提供する。【解決手段】床用配線部材は、床下に配置された配線器具ブロック３，４を露出させる開口窓１ａを有し、床材に取り付けられる枠部１と、枠部１に回転自在に支持されて開口窓１ａを閉塞する蓋部２とを備える。蓋部２は、配線器具ブロック３，４に接続される電線を通すための通線孔２０ｃが設けられた蓋部本体２０と、蓋部本体２０に回転自在に支持されて通線孔２０ｃを閉塞する通線チップ２１とで構成される。枠部１において開口窓１ａの開口端縁には、蓋部２を閉じた際に当該蓋部２の一部が載置される載置部１ｂが設けられており、通線チップ２１には、当該通線チップ２１を開いた状態で載置部１ｂにその一部が載置される脚部２１ｃが設けられている。【選択図】図１
2012135093.tif 000002
【特許請求の範囲】
【請求項１】
床下に配置された配線器具を露出させる開口窓を有し、床材に取り付けられる枠部と、前記枠部に回転自在に支持されて前記開口窓を閉塞する蓋部とを備え、前記枠部は、閉状態で前記蓋部の一部が載置される載置部を前記開口窓の開口端縁に有し、前記蓋部は、電線を通すための通線孔が設けられた蓋部本体と、前記蓋部本体に回転自在に支持されて前記通線孔を閉塞する通線チップとで構成され、前記通線チップには、開状態で前記載置部に少なくとも一部が載置される脚部が設けられていることを特徴とする床用配線部材。
【請求項２】
前記脚部は、側面視の形状が、前記通線チップを開いた状態で水平となる第１の辺と、前記通線チップを閉じた状態で鉛直となる第２の辺を有する三角形状に形成されていることを特徴とする請求項１記載の床用配線部材。
【請求項３】
前記通線チップは複数の前記脚部を有し、複数の前記脚部のうち少なくとも１つが強電流電線と弱電流電線とを隔てる隔壁として兼用されることを特徴とする請求項１又は２記載の床用配線部材。
【請求項４】
前記蓋部本体は矩形状であり、その１辺に設けられた第１の軸部により前記枠部に開閉自在に支持され、前記通線孔は、前記蓋部本体において前記１辺と隣接する他の辺の一部を切り欠いて形成され、前記通線チップは、前記第１の軸部の軸方向と直交する方向が軸方向となるように配置された第２の軸部により前記蓋部本体に開閉自在に支持され、前記通線チップは、前記蓋部本体を開いた状態において開閉可能であり、前記通線チップを開いた状態で前記蓋部本体を閉じると、前記通線チップの前記脚部が前記枠部の前記載置部に当接して前記通線チップの開状態が保持されることを特徴とする請求項１〜３の何れか１項に記載の床用配線部材。
【請求項５】
請求項１〜４の何れか１項に記載の床用配線部材と前記配線器具とを備えていることを特徴とする床用配線装置。
【発明の詳細な説明】
【技術分野】
【０００１】
本発明は、床用配線部材及びそれを用いた床用配線装置に関するものである。
【背景技術】
【０００２】
従来より、オフィスなどの床面に配設されるフロアコンセントが提供されている（例えば特許文献１参照）。このフロアコンセントは、内部に電源用コンセントや電話用端子装置などが配設されるフロアボックス本体と、フロアボックス本体に開閉自在に支持されて当該フロアボックス本体の上面開口を閉塞する蓋体と、蓋体の軸支部分と反対側の側縁を切り欠いて形成したケーブル類の引出口に付設される通線チップとを備える。
【０００３】
このフロアコンセントでは、ケーブル類を接続しない場合には、通線チップを閉じて蓋体に設けられた引出口を閉塞することでフロアボックス本体内に塵や埃が入り込むのを防止できる。一方、ケーブル類を接続する場合には、蓋体を開けた状態でケーブル類を電源用コンセント等に接続し、その後、通線チップを開けた状態で蓋体を閉じると通線チップが所定の開度で固定され、ケーブル類が保護される。
【先行技術文献】
【特許文献】
【０００４】
【特許文献１】実開平７−１１８２８号公報（段落［０００５］−段落［００１１］、及び、第１図−第３図）
【発明の概要】
【発明が解決しようとする課題】
【０００５】
上述の特許文献１に示したフロアコンセントでは、通線チップの裏面に設けられた２個の膨出部を、蓋体の裏面に設けられた当て板に接触させることで通線チップの開状態を保持できるようにしたものであり、各膨出部と当て板との摩擦力によって通線チップが保持されている。したがって、例えば通線チップが踏まれた場合には、上記の接触状態を維持できず通線チップが閉じてしまい、ケーブル類に負荷がかかる虞があった。
【０００６】
本発明は上記問題点に鑑みて為されたものであり、その目的とするところは、床下に配置された配線器具に接続される電線に負荷がかかるのを防止した床用配線部材及びそれを用いた床用配線装置を提供することにある。
【課題を解決するための手段】
【０００７】
本発明の床用配線部材は、床下に配置された配線器具を露出させる開口窓を有し、床材に取り付けられる枠部と、枠部に回転自在に支持されて開口窓を閉塞する蓋部とを備え、枠部は、閉状態で蓋部の一部が載置される載置部を開口窓の開口端縁に有し、蓋部は、電線を通すための通線孔が設けられた蓋部本体と、蓋部本体に回転自在に支持されて通線孔を閉塞する通線チップとで構成され、通線チップには、開状態で載置部に少なくとも一部が載置される脚部が設けられていることを特徴とする。
【０００８】
この床用配線部材において、脚部は、側面視の形状が、通線チップを開いた状態で水平となる第１の辺と、通線チップを閉じた状態で鉛直となる第２の辺を有する三角形状に形成されているのが好ましい。
【０００９】
また、この床用配線部材において、通線チップは複数の脚部を有し、複数の脚部のうち少なくとも１つが強電流電線と弱電流電線とを隔てる隔壁として兼用されるのも好ましい。
【００１０】
さらに、この床用配線部材において、蓋部本体は矩形状であり、その１辺に設けられた第１の軸部により枠部に開閉自在に支持され、通線孔は、蓋部本体において１辺と隣接する他の辺の一部を切り欠いて形成され、通線チップは、第１の軸部の軸方向と直交する方向が軸方向となるように配置された第２の軸部により蓋部本体に開閉自在に支持され、通線チップは、蓋部本体を開いた状態において開閉可能であり、通線チップを開いた状態で蓋部本体を閉じると、通線チップの脚部が枠部の載置部に当接して通線チップの開状態が保持されるのも好ましい。
【００１１】
本発明の床用配線装置は、上記の床用配線部材と配線器具とを備えていることを特徴とする。
【発明の効果】
【００１２】
床下に配置された配線器具に接続される電線に負荷がかかるのを防止した床用配線部材及び床用配線装置を提供することができるという効果がある。
【図面の簡単な説明】
【００１３】
【図１】本実施形態の床用配線装置を示す分解斜視図である。
【図２】同上の外観斜視図である。
【図３】同上の施工状態を示し、（ａ）は通線チップを閉じた状態の斜視図、（ｂ）は通線チップを開いた状態の斜視図である。
【図４】（ａ）〜（ｇ）は同上において通線チップを開く動作を説明する説明図である。
【発明を実施するための形態】
【００１４】
以下に、床用配線部材及び床用配線装置の実施形態を図１〜図４に基づいて説明する。
【００１５】
本実施形態の床用配線部材は、図１に示すように、床下に配置される後述の配線器具ブロック３，４の機能面を室内側に露出させるための開口窓１ａを有し、床材１００（図３参照）に取り付けられる枠部１と、枠部１に回転自在に支持されて開口窓１ａを閉塞する蓋部２とを備える。また、床用配線部材は、配線器具ブロック３，４の上部にねじ固定される天板５と、枠部１と天板５の間に配置されるパッキン６とを備える。さらに、本実施形態の床用配線装置は、上記の床用配線部材と、配線器具ブロック３，４と、カバー７とを備える。配線器具ブロック３，４は、床材１００の裏面側に、機能面を互いに対向させた状態で配置される。カバー７は、配線器具ブロック３，４の後述する取付金具３０，４０とともに床材１００の裏面側（下側）の空間を仕切り、配線器具ブロック３，４に接続される電線を収めるための収納空間を形成する。
【００１６】
枠部１は、例えばアルミダイキャストにより矩形枠状に形成され、中央部には矩形状の開口窓１ａが設けられている。また、開口窓１ａの開口端縁には、蓋部２を閉じた際に蓋部２の一部が載置されるコ字型の載置部１ｂが３辺に跨る形で設けられており、載置部１ｂの四隅には取付ねじ８が挿通されるねじ挿通孔１ｃがそれぞれ設けられている。さらに、枠部１の対向する２つの枠辺には、蓋部２を支持するための支持軸（図示せず）の両端部がそれぞれ差し込まれる軸受孔１ｄ（図１では片側のみ図示）が設けられている。
【００１７】
蓋部２は、配線器具ブロック３，４に接続される電線（図示せず）を通すための通線孔２０ｃが設けられた蓋部本体２０と、蓋部本体２０に回転自在に支持されて通線孔２０ｃを閉塞する通線チップ２１とで構成される。
【００１８】
蓋部本体２０は、例えばアルミダイキャストにより矩形板状に形成された主片２０ａを有し、主片２０ａの１辺には上記の支持軸が挿通される挿通孔を有する軸保持部２０ｂが設けられている。また、主片２０ａにおいて軸保持部２０ｂが設けられた１辺に隣接する他の１辺には、矩形状に切り欠かれた通線孔２０ｃが設けられている。さらに、主片２０ａにおいて軸保持部２０ｂと反対側には、蓋部本体２０を開閉する際に用いられる開閉用ボタン２２を露出させるための露出孔２０ｆが設けられている。
【００１９】
また、通線孔２０ｃの開口端縁において対向する２辺には、通線チップ２１の一部が載置される載置片２０ｅ（図１では片側のみ図示）が設けられるとともに、通線チップ２１を支持するための支持軸（図示せず）の両端部がそれぞれ差し込まれる軸受孔２０ｇ（図１では片側のみ図示）が設けられている。さらに、通線孔２０ｃの開口端縁の残りの１辺には、上記の支持軸が載置される軸受片２０ｄ，２０ｄが設けられている。ここに、本実施形態では、上記の軸保持部２０ｂとこの軸保持部２０ｂに保持される支持軸とで第１の軸部が構成され、この第１の軸部により蓋部本体２０が枠部１に開閉自在に支持される。
【００２０】
通線チップ２１は、例えばアルミダイキャストにより横長の矩形板状に形成された主片２１ａを有し、主片２１ａの蓋部本体２０側には、上記の支持軸が挿通される挿通孔を有する軸保持部２１ｂが設けられている。また、主片２１ａの下面には、下方に突出する複数（図１では３個）の脚部２１ｃが等間隔で横並びに設けられている。さらに、左右両側の脚部２１ｃ，２１ｃの下端部には、通線チップ２１の開方向への移動を規制するためのストッパー２１ｄ（図１では片側のみ図示）が設けられている。
【００２１】
ここにおいて、各脚部２１ｃは、側面視の形状が、通線チップ２１を開いた状態で水平となる第１の辺と、通線チップ２１を閉じた状態で鉛直となる第２の辺を有する三角形状に形成されている。また、中央の脚部２１ｃは、強電流電線（例えば後述の電源コンセント３１に接続される電力供給用の電線）と弱電流電線（例えば後述のモジュラジャック４１に接続される信号用の電線）とを隔てる隔壁として兼用される。例えば、中央の脚部２１ｃの右側に強電流電線を配線するとともに、左側に弱電流電線を配線することで両電線を離間させることができる。ここに、本実施形態では、上記の軸保持部２１ｂとこの軸保持部２１ｂに保持される支持軸とで第２の軸部が構成され、この第２の軸部により通線チップ２１が蓋部本体２０に開閉自在に支持される。また、本実施形態では、第１の軸部の軸方向と第２の軸部の軸方向とが直交するように両軸部が配置されている。
【００２２】
天板５は、例えば金属材料により矩形枠状に形成され、中央部には枠部１の開口窓１ａと連通する矩形状の開口部５ａが設けられている。また、天板５の開口部５ａの四隅近傍には、それぞれ取付ねじ８がねじ込まれるねじ孔５ｂが設けられるとともに、取付ねじ９が挿通されるねじ挿通孔５ｃが設けられている。
【００２３】
パッキン６は、例えば合成樹脂成形品であって、中央部に矩形状の開口部６ａを有する矩形枠状に形成され、上記の枠部１と天板５の間に配置される。
【００２４】
配線器具ブロック３は、電源コンセント（配線器具）３１と、電源コンセント３１が着脱自在に取り付けられる取付枠３２と、取付枠３２が取り付けられる主片３０ｅを有し、側面視の形状が略Ｌ字状に折曲形成された取付金具３０とで構成され、取付金具３０の主片３０ｅには電源コンセント３１の機能面を露出させる矩形状の開口部３０ａが設けられている。また、取付金具３０の主片３０ｅの上端縁には、施工状態での内側（収納空間側）に向かって突出する一対の取付片３０ｂ，３０ｂが設けられ、各取付片３０ｂには取付ねじ９がねじ込まれるねじ孔３０ｃがそれぞれ設けられている。さらに、取付金具３０の主片３０ｅの下端縁には、施工状態での内側に向かって突出する取付片３０ｄが設けられ、この取付片３０ｄには取付ねじ１０が挿通されるねじ挿通孔（図示せず）が設けられている。
【００２５】
配線器具ブロック４は、複数（図１では３個）のモジュラジャック（配線器具）４１（例えばＬＡＮ用モジュラジャックやＴＥＬ用モジュラジャックなど）と、これらのモジュラジャック４１が着脱自在に取り付けられる取付枠４２と、取付枠４２が取り付けられる主片を有し、側面視の形状が略Ｌ字状に折曲形成された取付金具４０とで構成され、取付金具４０の主片にはモジュラジャック４１の機能面を露出させる矩形状の開口部（図示せず）が設けられている。また、取付金具４０の主片の上端縁には、施工状態での内側（収納空間側）に向かって突出する一対の取付片４０ｂ，４０ｂが設けられ、各取付片４０ｂには取付ねじ９がねじ込まれるねじ孔４０ｃがそれぞれ設けられている。さらに、取付金具４０の主片の下端縁には、施工状態での内側に向かって突出する取付片（図示せず）が設けられ、この取付片には取付ねじ１０が挿通されるねじ挿通孔が設けられている。
【００２６】
ここにおいて、取付片３０ｂ，４０ｂは配線器具ブロック３，４に天板５を取り付けるために用いられ、取付片３０ｄ（取付金具４０の取付片については図示せず）は後述のカバー７を配線器具ブロック３，４に取り付けるために用いられる。
【００２７】
カバー７は、金属材料により略コ字型に形成され、カバー７の底面において各取付金具３０，４０の取付片３０ｄ（取付金具４０の取付片については図示せず）のねじ挿通孔に対応する部位には、取付ねじ１０がねじ込まれるねじ孔７ａ（図１では片側のみ図示）が設けられている。なお、このカバー７は、取付金具３０，４０とともに床材１００の下側の空間から電線を収納するための収納空間を仕切るために用いられ、その結果、床材１００の裏面側の空間が見えにくくなり見栄えが向上するという利点がある。
【００２８】
次に、蓋部２の組立手順について説明する。通線チップ２１の軸保持部２１ｂの挿通孔に支持軸（図示せず）を挿通させた後、支持軸の両端部を蓋部本体２０に設けた軸受孔２０ｇに差し込むことで、通線チップ２１が蓋部本体２０に取り付けられ、蓋部２の組み立てが完了する。なお、通線チップ２１の回動範囲は、通線チップ２１の主片２１ａが載置片２０ｅに当接する位置と、通線チップ２１のストッパー２１ｄが蓋部本体２０の裏面に当接する位置の間に設定されている。
【００２９】
続けて、床用配線装置の組立手順について説明する。まず最初に、床材１００（図３参照）に設けられた開口部（図示せず）を通して床下に配線器具ブロック３を挿入するとともに、取付ねじ９を用いて配線器具ブロック３を天板５に取り付ける。次に、同様にして床下に配線器具ブロック４を挿入するとともに、取付ねじ９を用いて配線器具ブロック４を天板５に取り付ける。このとき、配線器具ブロック３の機能面と配線器具ブロック４の機能面とが対向するように配置される。その後、同様にして床下にカバー７を挿入するとともに、取付ねじ１０を用いてカバー７を配線器具ブロック３，４に取り付ける。その結果、電線を収納するための収納空間が床材１００の下側の空間から仕切られた状態になる。さらに、パッキン６を間に配置した状態で取付ねじ８を用いて天板５に枠部１を固定する。そして最後に、蓋部本体２０の軸保持部２０ｂの挿通孔に支持軸（図示せず）を挿通させた後、支持軸の両端部を枠部１に設けた軸受孔１ｄに差し込むことで、蓋部２が枠部１に取り付けられ、床用配線装置の組み立てが完了する（図２参照）。なお、図２は通線チップ２１を開いた状態を示す。
【００３０】
さらに、通線チップ２１を開く動作について図３及び図４を参照しながら説明する。図３（ａ）及び図４（ａ）は通線チップ２１を閉じた状態であり、このとき通線チップ２１は蓋部本体２０の載置片２０ｅに当接した状態にある。この状態から開閉用ボタン２２を開方向にスライドさせると、開閉用ボタン２２に連結された保持手段（図示せず）による保持状態が解除されるとともに、蓋部本体２０の裏側に配置された板ばね２４（図１参照）のばね反力によって蓋部本体２０がわずかに開いた状態になる（図４（ｂ）参照）。次に、わずかに開いた状態から蓋部本体２０を開方向（図４（ｃ）中の矢印Ａ方向）に移動させ、さらに蓋部本体２０を開いた状態で通線チップ２１を開方向（図４（ｄ）中の矢印Ｂ方向）に移動させる。このとき、通線チップ２１は、ストッパー２１ｄが蓋部本体２０に当接する位置までしか開くことができない。そして、通線チップ２１を開いた状態で蓋部本体２０を閉方向（図４（ｅ）中の矢印Ｃ方向）に移動させ、さらに板ばね２４のばね反力に抗して蓋部本体２０を閉方向（図４（ｆ）中の矢印Ｄ方向）に移動させる。その結果、上記の保持手段によって蓋部本体２０の閉状態が保持されるとともに、通線チップ２１に設けた３個の脚部２１ｃが枠部１の載置部１ｂに載置された状態になる（図３（ｂ）及び図４（ｇ）参照）。なお、図３（ｂ）中の２３は、通線チップ２１の開口を通して床下に配線される電線（図示せず）を保護するためのブッシュである。
【００３１】
ここで、本実施形態の床用配線装置では、通線チップ２１に設けた脚部２１ｃが上記の第１及び第２の辺を有する三角形状に形成されており、蓋部本体２０を閉じた状態では上記の第２の辺が載置部１ｂに当たるため、通線チップ２１を開くことができない。したがって、通線チップ２１を開く際には蓋部本体２０を先に開く必要があり、上述のような手順となる。
【００３２】
而して、本実施形態によれば、通線チップ２１を開けた状態では通線チップ２１の脚部２１ｃを枠部１の載置部１ｂに載置させているので、摩擦力によって通線チップの開状態を保持する場合に比べて通線チップ２１の保持力を高めることができる。その結果、例えば通線チップ２１が踏まれた場合でも通線チップ２１の開状態を保持することができ、電線に負荷がかかるのを防止することができる。また、枠部１に載置部１ｂを設けるとともに通線チップ２１に脚部２１ｃを設けるだけでいいので、電線に負荷がかかるのを防止した床用配線部材を簡単な構造で実現することができる。
【００３３】
さらに、脚部２１ｃの側面視の形状を、通線チップ２１を開いた状態で水平となる第１の辺と、通線チップ２１を閉じた状態で鉛直となる第２の辺を有する三角形状とすることで、蓋部本体２０を閉じた状態で通線チップ２１を開けようとした場合には第２の辺が載置部１ｂに当たるので、蓋部本体２０を閉じた状態で通線チップ２１が開けられるのを防止することができる。また、通線チップ２１を開けた状態では第１の辺が載置部１ｂに載置されるので、通線チップ２１を所定の角度で保持することができ、さらに通線チップ２１を開けた状態での突出寸法を小さくすることができることから、邪魔になりにくいという利点もある。
【００３４】
また、本実施形態によれば、脚部２１ｃを隔壁として兼用することで強電流電線と弱電流電線とを隔離することができ、しかも脚部２１ｃとは別に隔壁を設けなくてもいいのでコストダウンが図れる。さらに、上述した床用配線部材を用いることによって、配線器具３１，４１に接続された電線に負荷がかかるのを防止した床用配線装置を提供することができる。
【００３５】
また、本実施形態では、図４（ｄ）に示すように、蓋部本体２０に設けた第１の軸部（軸保持部２０ｂ及び支持軸）の軸方向と、通線チップ２１に設けた第２の軸部（軸保持部２１ｂ及び支持軸）の軸方向とが直交するように、蓋部本体２０において第１の軸部と隣接する部位に通線チップ２１を設けている。その結果、第１の軸部と対向する部位に通線チップ２１を設けた場合のように蓋部本体２０を開ける際に誤って通線チップ２１を開くことがなく、蓋部本体２０の開閉動作がし易いという利点がある。また、蓋部本体２０において第１の軸部と隣接する部位に通線チップ２１を設けることで、本実施形態のように第１の軸部と対向する部位に蓋部本体２０の開閉用ボタン２２を配置するスペースを確保することができる。さらに、本実施形態のように、強電流電線が接続される配線器具３１と対向するようにして通線チップ２１を配置した場合には、通線チップ２１の開口を通して通線された電線を直線的に配線器具３１に接続することができるので、例えば強電流電線のように径が太く曲がり難い電線であっても容易に施工することができる。
【００３６】
なお、本実施形態では、通線チップ２１に設けた脚部２１ｃが３個の場合を例に説明したが、例えば１個や２個、４個以上であってもよく、本実施形態に限定されない。また、脚部２１ｃの形状についても本実施形態に限定されるものではなく、通線チップ２１を開いた状態で枠部１の載置部１ｂに載置されるようになっていれば他の形状でもよい。さらに、本実施形態では、蓋部本体２０において第１の軸部が設けられた１辺と隣接する他の１辺にのみ通線チップ２１を設けているが、上記１辺と隣接する他の２辺両側に通線チップ２１を設けてもよい。
【符号の説明】
【００３７】
１  枠部
１ａ  開口窓
１ｂ  載置部
２  蓋部
３，４  配線器具ブロック
２０  蓋部本体
２０ｃ  通線孔
２１  通線チップ
２１ｃ  脚部
３１  電源コンセント（配線器具）
４１  モジュラジャック（配線器具）
【図１】
2012135093.tif 000003
【図２】
2012135093.tif 000004
【図３】
2012135093.tif 000005
【図４】
2012135093.tif 000006